(57)【要約】【課題】本発明は、ユーザが獲得したポイントを慈善団体に簡単かつ確実に募金することができる懸賞システムの提供を課題とする。【解決手段】本発明は、サーバ１からユーザの情報端末２に対してメールを送信し、該メールをクリックして広告を閲覧した場合に、ユーザに対して抽選を実行してポイントを付与する懸賞システムである。ユーザの情報端末１に対して募金のアイコン画像を表示する表示制御部１１と、ユーザに該アイコン画像が選択された場合に、募金額ポイントを入力するための入力画面を表示する表示制御部１１と、該入力画面に入力された募金額ポイントに関する情報を前記サーバに送信する送信手段１３と、各ユーザの情報端末２から送信されてきた募金額ポイントに関する情報に基づいて、募金額ポイントを所定額まで累積記憶する募金額ポイント記憶部１５とを備えてなる。【選択図】      図１
2007226543.tif 000002
【特許請求の範囲】
【請求項１】
サーバからユーザの情報端末に対してメールを送信し、該メールをクリックして広告を閲覧した場合に、ユーザに対して抽選を実行してポイントを付与する懸賞システムであって、
ユーザの情報端末に対して募金のアイコン画像を表示する表示制御手段と、
ユーザに該アイコン画像が選択された場合に、募金額ポイントを入力するための入力画面を表示する表示制御手段と、
該入力画面に入力された募金額ポイントに関する情報を前記サーバに送信する送信手段と、
各ユーザの情報端末から送信されてきた募金額ポイントに関する情報に基づいて、募金額ポイントを所定額まで累積記憶する募金額ポイント記憶手段とを備えてなることを特徴とする懸賞システム。
【請求項２】
前記抽選に係るポイントは複数の段階に設定され、抽選を行ったユーザに対して少なくともいずれかのポイントを付与するものとなされている請求項１に記載の懸賞システム。
【請求項３】
ユーザが他のユーザを紹介した場合に、抽選により紹介先のユーザに付与されたポイントがさらに紹介元のユーザに付与されるものとなされている請求項１または請求項２のいずれかに記載の懸賞システム。
【請求項４】
前記抽選に係るポイントは広告主ごとに異なるものとなされている請求項１ないし請求項３のいずれかに記載の懸賞システム。
【請求項５】
ユーザが要望を書き込めるブログが付加され、該ブログにおけるユーザの要望に基づいて募金先を決定するものとなされている懸賞システム。
【発明の詳細な説明】
【技術分野】
【０００１】
本発明は、インターネット等において広告を閲覧したユーザに対してポイントを付与する懸賞システムに関する。
【背景技術】
【０００２】
近年、インターネットや携帯電話の普及とハードウェアの向上に伴って、様々なサービスがある。このうち、サーバからユーザの情報端末に対してメールを送信し、該メールをクリックして広告を閲覧した場合に、該ユーザに対して抽選を実行してポイントを付与する懸賞システムが知られている。これによればユーザはポイントを獲得するために広告を積極的に閲覧するので、広告主は多くのユーザに効率的に広告を配信することができる。このような懸賞システムには、様々に工夫がなされたものが数多く提案されている。
【０００３】
例えば、特許文献１では、閲覧者の利用者端末２と懸賞サイト３とから構成され、懸賞サイト３は、懸賞 の賞品に関する賞品情報と、応募受付日と、賞品の提供者に関する広告情報とを対応づけて記憶するデータベース５Ａ，５Ｂを備え、利用者端末２からの要求により、賞品情報、広告情報および応募受付日の情報を用いて懸賞 情報を利用者端末２に出力する。懸賞サイト３は、一般の応募については、その日の懸賞 への応募のみを受け付け、雑誌などの広告媒体に掲載されたキーワードを特定した応募については、未到来の複数の応募日の賞品に対する応募を可能とする。
【０００４】
また、特許文献２では、商品又はサービスの購買証明情報と商品又はサービスの販売価格情報とを関連付けて記憶する販売価格情報ＤＢ２３を備えている。また、ユーザの端末３より送信された購買証明情報に基づき、販売価格情報ＤＢ２３より販売価格情報に変換し、さらにこの販売価格情報に基づき対応するポイントに換算しているものが提案されている。
【０００５】
さらに、特許文献３では、懸賞サイトが懸賞 内容とアドレスとを表示手段に表示する懸賞表示ステップと、応募者が携帯端末装置を用いて懸賞サイトに接続して懸賞に応募する応募ステップと、懸賞サイトが当選者の携帯端末装置に暗号化した当選情報を送信する当選情報送信ステップと、当選者が表示手段とは異なる場所に設置された暗号解読装置で当選情報を解読させることによって当選が確定する当選確定ステップとを有するものが提案されている。
【０００６】
【特許文献１】特開２００２−２５１４９８号公報
【特許文献２】特開２００４−００５２９５号公報
【特許文献３】特開２００５−２０２６１３号公報
【発明の開示】
【発明が解決しようとする課題】
【０００７】
しかしながら、従来の懸賞システムは、いずれも懸賞自体に関して工夫がなされたものであって、ユーザが獲得したポイントを何らかの慈善団体に募金するものではなかった。
【０００８】
本発明は、上記背景に鑑みてなされたものであって、ユーザが獲得したポイントを慈善団体に簡単かつ確実に募金することができ、ひいてはニート、学生、社会人等の多くの者に社会貢献に目を向けさせることが可能となる懸賞システムの提供を課題とする。
【課題を解決するための手段】
【０００９】
本発明は、上記課題を解決するために、いわゆる懸賞システムにおいてポイントを募金するための募金箱のアイコン画像を表示させたものである。
【００１０】
すなわち、本発明は、サーバからユーザの情報端末に対してメールを送信し、該メールをクリックして広告を閲覧した場合に、ユーザに対して抽選を実行してポイントを付与する懸賞システムであって、ユーザの情報端末に対して募金のアイコン画像を表示する表示制御手段と、ユーザに該アイコン画像が選択された場合に、募金額ポイントを入力するための入力画面を表示する表示制御手段と、該入力画面に入力された募金額ポイントに関する情報を前記サーバに送信する送信手段と、各ユーザの情報端末から送信されてきた募金額ポイントに関する情報に基づいて、募金額ポイントを所定額まで累積記憶する募金額ポイント記憶手段とを備えてなることを特徴とする。
【００１１】
これによれば、ユーザは募金箱のアイコン画像をクリック等により選択したあと、入力画面において所望の募金額を入力し、それをサーバに送信することによって、ユーザが獲得したポイントを慈善団体に簡単かつ確実に募金することができる。
【００１２】
また、前記抽選に係るポイントは複数の段階に設定され、抽選を行ったユーザに対して少なくともいずれかのポイントを付与するものとなされているのが好ましい。これによれば、ユーザはいずれかのポイントが当たることになるので、広告閲覧のインセンティブをより向上することが可能となる。
【００１３】
また、ユーザが他のユーザを紹介した場合に、抽選により紹介先のユーザに付与されたポイントがさらに紹介元のユーザに付与されるものとなされているのが好ましい。これによれば、ユーザはより多くのポイント獲得を求めて友人を紹介することになるので、本システムのユーザ数を効率的に増やすことができる。
【００１４】
また、前記抽選に係るポイントは広告主ごとに異なるものとなされているのが好ましい。これによれば、広告主である企業ごとにポイントを増減することができる。
【００１５】
また、 ユーザが要望を書き込めるブログが付加され、該ブログにおけるユーザの要望に基づいて募金先を決定するものとなされているのが好ましい。これによれば、ユーザの要望をタイムリーに聞くことができ、よりユーザの要望に合った募金を行うことができる。
【発明の効果】
【００１６】
本発明によれば、ユーザは募金箱のアイコン画像をクリック等により選択したあと、募金額入力画面において所望の募金額を入力し、それをサーバに送信することによって、ユーザが獲得したポイントを慈善団体に簡単かつ確実に募金することができ、ひいてはニート、学生、社会人等の多くの者に社会貢献に目を向けさせることが可能となる。
【発明を実施するための最良の形態】
【００１７】
次に本発明の一実施形態について図面を参照しつつ説明する。
【００１８】
図１は、本実施形態に係る懸賞システムの構成概略図である。
【００１９】
この懸賞システムは、システム運営者側のサーバコンピュータ（以下、サーバという）（１）と、複数のユーザの携帯電話やパソコン等の情報端末（２）とからなり、サーバ（１）と各情報端末（２）はインターネット等のネットワークを介して通信可能な状態で接続されている。
【００２０】
図２は、前記サーバ（１）の機能を示すブロック図である。
【００２１】
このサーバ（１）は、ユーザの情報端末（２）からの要求に応じて図３〜図８に示すような各種画面を表示させる表示制御部（１１）と、ユーザに関する情報（ユーザ情報）を記憶するユーザ情報記憶部（１２）と、ユーザの情報端末に対してメールを送信するメール送信部（１３）と、抽選を実行する抽選実行部（１４）と、ユーザのポイントを記憶するポイント記憶部（１５）と、各ユーザが募金した募金額ポイントを累積記憶する募金額ポイント記憶部（１６）とを備えてなる。
【００２２】
前記表示制御部（１１）は、ユーザの情報端末からの要求に応じて図３〜図８に示すような各種画面を表示させるものである。
【００２３】
図３は、本システムにおけるサイトのトップページであり、上部に本システム名やキャラクタの画面が表示されるとともに、その下部に「サンチョキって？」「友達紹介にツイテ」「マネー引き出し方法」「チャリティ活動実績」「良くある質問」「メールが届かない」「登録情報変更」「Ｍｙページログイン」「退会する」「利用規約」「お問い合わせ」「プライバシーポリシー」「運営会社」の項目が一覧的に表示されている。なお、これらの項目に限定されるものではなく、それ以外の項目であってもよい。
【００２４】
例えば、このトップページにおいて、「ワンチョキって？」をクリックすると、図４に示すようにサイト説明に関するページが表示される。また、「友達紹介にツイテ」をクリックすると、図５に示すように友達紹介に関するページが表示される。また、「マネー引き出し方法」をクリックすると、図６に示すようにユーザが獲得したポイントに対する金額の引き出し方法が説明されたページが表示される。また、「チャリティ活動実施」をクリックすると、図７に示すようにチャリティ活動の実施に関するページが表示される。
【００２５】
また、「Ｍｙページログイン」をクリックすると、図８（左図）に示すようにユーザのページが表示され、そこには募金箱のアイコン画像（３）が表示される。さらにこのアイコン画像（３）がクリックされると、図８（右図）に示すように募金額ポイントを入力するための入力画面が表示される。この入力画面は、現在の募金の総額、当該ユーザの貯金額、募金額ポイントを入力するための入力欄、パスワードを入力するための入力欄、最終的に募金を決定する「寄付する」ボタンが表示されている。ユーザは、自己が貯金したポイントのうち募金したいポイントをポイント入力欄に入力するとともに、あらかじめ定めたパスワードをパスワード入力欄に入力し、「寄付する」ボタンをクリックすると、募金額ポイントに関する情報がサーバ（１）に送信され、募金が完了する。
【００２６】
前記ユーザ情報記憶部（１２）は、本システムに参加するユーザに関する情報（ユーザ情報）を記憶するものである。このユーザ情報には、少なくもユーザのメールアドレスが含まれ、場合によってはユーザの氏名、住所、電話番号などの情報が含まれていてもよい。本実施形態では、図３〜図６に示す各画面の下部に「空メで登録」が表示され、それをクリックして自己の空メールをサーバに対して送ることにより会員登録するものとなされている。
【００２７】
前記メール送信部（１３）は、前記ユーザ情報記憶部（１２）に記憶されている各ユーザのメールアドレスに基づいて、各ユーザの情報端末（２）に対してメールを送信するものである。このメールには、所定のＵＲＬが表示されており、当該ＵＲＬをクリックすると所定の広告主の広告を閲覧し得るものとなされている。
【００２８】
前記抽選実行部（１４）は、ユーザが前記ＵＲＬをクリックして広告を閲覧した場合に抽選を実行するものである。この抽選は、広告を閲覧したユーザに対して、１エン、５エン、１０エン、５０エン、１００エン、５００エンのポイントが当たるように実行するものである。本実施形態では、ハズレがないように、少なくともいずれかのポイントが当たるようになっている。なお、ユーザが友人を紹介した場合に、その紹介先のユーザが獲得したポイントと一部額又は同額のポイントが紹介元のユーザに対しても付与されるものであってもよい。
【００２９】
前記ポイント記憶部（１５）は、各ユーザが前記抽選により獲得したポイントを記憶するものである。このポイントは、１３００エンから１００エン単位で引き出すことが可能であり、ポイントと同額の金銭が申請から２週間以内にユーザの口座に支払われるようになっている。なお、このポイントは実際の金銭で引き出すだけではなく、何らかの景品やサービスに使用できるものとしてもよい。
【００３０】
前記募金額ポイント記憶部（１６）は、前記情報端末（２）から送信されてきた募金額ポイントに関する情報に基づいて、募金額ポイントを所定額まで累積記憶するものである。この募金ポイント記憶部（１６）に累積的に貯められたポイントは、所定額が貯まると、対応する金銭所定の慈善団体に寄付されることになる。この場合、システム運営者側も貯まった募金額ポイントと同額の金銭を募金するものとしてもよい。
【００３１】
このように、ユーザは、所定の操作により図３に示すトップページから図４〜図８に示す各種画面に移ることにより、本システムの内容を把握したり利用したりする。そして、サーバ（１）からメールが送信されてきた場合に、該メールに表示されたＵＲＬをクリックして所定の広告を閲覧すると、サーバ（１）において抽選が実行されて、ユーザに１エン、５エン、１０エン、５０エン、１００エン、５００エンのいずれかのポイントが当たる。
【００３２】
また、ユーザが、図８に示す画面において募金箱のアイコン画像（３）をクリックすると入力画面が表示される。ユーザは、該入力画面において自己が貯金したポイントのうち募金したいポイントをポイント入力欄に入力するとともに、あらかじめ定めたパスワードをパスワード入力欄に入力し、「寄付する」ボタンをクリックすると、募金額ポイントに関する情報がサーバ（１）に送信され、募金が完了する。このため、ユーザが獲得したポイントを慈善団体に簡単かつ確実に募金することができ、ひいてはニート、学生、社会人等の多くの者に社会貢献に目を向けさせることが可能となる。
【図面の簡単な説明】
【００３３】
【図１】本システムの構成概略図である。
【図２】図１のサーバの機能を示すブロック図である。
【図３】本システムにおけるサイトのトップページを示す図である。
【図４】サイト説明に関するページを示す図である。
【図５】友達紹介に関するページを示す図である。
【図６】金額の引き出し方法が説明されたページを示す図である。
【図７】チャリティ活動の実施に関するページを示す図である。
【図８】募金額ポイントを入力するための入力画面のページを示す図である。
【符号の説明】
【００３４】
１・・・サーバ
２・・・情報端末
【図１】
2007226543.tif 000003
【図２】
2007226543.tif 000004
【図３】
2007226543.tif 000005
【図４】
2007226543.tif 000006
【図５】
2007226543.tif 000007
【図６】
2007226543.tif 000008
【図７】
2007226543.tif 000009
【図８】
2007226543.tif 000010